(57)【要約】【課題】  受信機がプリント出来る記録紙のサイズ以上のサイズのデータをハンドリング出来るにもかかわらず、記録可能なサイズを最大記録紙のサイズと宣言するため、縮小された画像を受信する場合があり、画質が劣化していまい、また、受信した画像を転送しようとしても、縮小された画像になってしまう。【解決手段】  セットされている記録紙の最大サイズか、装置が扱える画像サイズを宣言するかの設定手段を有し、受信時この設定内容に従って最大記録サイズを宣言する。画像受信時に、蓄積受信が設定されていた場合に、プリント可能な記録紙のサイズではなく、装置がハンドリング可能なサイズを最大記録紙のサイズとして宣言する。【選択図】  図３
2013120953.tif 000002
【特許請求の範囲】
【請求項１】
画像伝送前に装置の能力を確認する通信プロトコルを用い、交換した能力でデータ通信を行い、更に、受信データをプリントするだけではなく装置に蓄積可能な画像通信装置装置であり、受信時にセットされている記録紙の最大サイズを前期プロトコルの最大記録紙サイズとして宣言するか、装置が扱える最大サイズを前期プロトコルの最大記録紙サイズとして宣言するかを予め設定する手段を設け、受信時に、この設定に従って能力宣言することを特徴とする画像通信装置。
【請求項２】
画像伝送前に装置の能力を確認する通信プロトコルを用い、交換した能力でデータ通信を行い、更に、受信データをプリントするだけではなく装置に蓄積可能な画像通信装置装置であり、データ受信に先立って、蓄積受信が設定されているかどうかを判断する蓄積受信設定判断手段を有し、蓄積受信判断手段で蓄積受信が設定されていないと判断された場合には、装置がプリント可能な記録紙のサイズを最大記録紙のサイズとして、通信プロトコルで宣言し、蓄積受信判断手段で蓄積受信が設定されていると判断された場合には、装置が扱える最大のサイズを最大記録紙のサイズとして、通信プロトコルで宣言することを特徴とする画像通信装置。
【請求項３】
蓄積受信判断手段は、受信したデータを転送する転送設定が行われているか、または、受信したデータをプリントではなく記憶媒体に記憶する受信設定が行われている場合に、蓄積受信が設定されているものと判断することを特徴とする請求項２に記載の画像通信装置。
【請求項４】
装置が扱える最大のサイズを最大記録紙のサイズとは、装置がハンドリング可能な画像サイズであり、通信プロトコルがファクシミリ通信の場合、そのプロトコルで規定されている最大の記録紙のサイズであることを特徴とする請求項１又は請求項２に記載の画像通信装置。
【発明の詳細な説明】
【技術分野】
【０００１】
受信した画像をメモリなどの記憶媒体に保存したり、その保存したデータを後でプリントしたり、転送送信する機能を有する画像通信装置に関するもので、詳しくはその装置の画像データ受信能力宣言に関する。
【背景技術】
【０００２】
従来から電話回線を使用した画像通信装置としてファクスがある。
【０００３】
このファクス装置では、受信した画像をプリントアウトするだけではなく、メモリなどの記憶媒体に画像を蓄積するものがある。
【０００４】
これは、一旦記憶媒体にファイルとして蓄積しておき、このファイルをユーザが指定してプリントしたり、再送信したり、あるいは、送信相手先などを条件として、条件が一致した場合に、自動的に予め設定しておいた宛先に転送する、転送機能を含むものがある。
【０００５】
また、画像をプリントする記録紙を複数設定できるものがある。例えば、記録紙のカセットを複数段もうけ、Ａ４、Ａ３．Ｂ４などの異なるサイズの記録紙を設置しておき、受信した画像のデータに従って記録紙を自動選択してプリントするものである。
【０００６】
上記のようなファクスでは、画像受信に先立って、ＩＴＵ−Ｔ  Ｔ．３０規格で定めた手順信号（ＤＩＳ信号）で、受信機側の能力を宣言し、これを受けた送信機は、送受可能な最大限の能力（送信する元の画像以下の条件で）で、画像を送信する仕組みである。
【０００７】
このＤＩＳ信号で伝える受信機の能力に、最大受信記録紙のサイズがある。例えば、受信機が、最大記録紙のサイズをＡ４で宣言した場合、送信機側で原稿がＡ４であればそのまま送るが、原稿がＡ４より大きなＡ３の場合、Ａ３原稿をＡ４原稿に縮小して送るものである。
【０００８】
従来のファクスでは、受信プリントを重視し、複数のサイズの記録紙がセットされている場合、そのセットされている最大の紙サイズを最大記録紙サイズとして宣言していた。
【０００９】
例えば、３種類の記録紙を設定できる機械で、Ａ３、Ａ４、Ｂ４がセットされていれば、最大記録紙サイズはＡ３で宣言している。しかしながら、上記でＡ３、Ｂ４サイズの記録紙がない（セットされていない、記録紙が０枚）場合には、最大記録紙サイズとして記録可能なＡ４を宣言していた。
【００１０】
また、記録できる記録紙の最大サイズがＡ４の機械も存在し、この場合も、最大記録紙サイズはＡ４で宣言していた。
【００１１】
しかしながら、上記のような画像通信装置で、上述した画像を記憶媒体に蓄積できるものでは、転送やメモリ蓄積受信で、例えプリントアウトしない場合であっても、プリントできる最大の記録紙サイズを宣言しているため、縮小された画像を受信してしまうことがある。
【００１２】
例えば、Ａ３記録紙もセット可能であるが、Ａ４記録紙しかセットされていなかった場合には、最大記録紙サイズとしてＡ４を宣言するため、送信機はＡ３原稿をＡ４に縮小して送ってくる。この場合、転送などを目的としたメモリ蓄積の場合でも蓄積される画像はＡ４になってしまい、転送する原稿サイズもＡ４になってしまう。このように送信機側でサイズが変更された画像は当然元の画像に比べ劣化するため、転送した画像も劣化した画像となってしまう。
【００１３】
このように、転送や蓄積後のプリントなどの目的で画像を蓄積する場合に、実際にセットされている記録紙のサイズより大きいサイズの画像データを扱えるにも関わらず、小さなサイズを宣言してしまい、大きいサイズでの記録や転送が行えなくなってしまう。
【００１４】
このようなファクス受信での信号シーケンスを図６に示す。
【００１５】
まず送信機側は、受信機に対して発呼し、これに対して受信機が応答したときに、前述のＩＴＵ−Ｔ  Ｔ．３０手順で規定されたＤＩＳ信号で、受信機側の最大記録紙のサイズを宣言する。
【００１６】
この例では、受信機がＡ３までプリント可能でも、セットされている記録紙の最大サイズがＡ４であった場合や、最大でＡ４記録しか出来ない場合を想定している。
【００１７】
この場合、図示したように受信機側からＤＩＳ信号で最大記録紙としてＡ４を宣言する。
【００１８】
この宣言を受け取った送信機は、相手機がＡ４サイズまでしか扱えないとのことなので、ＤＩＳ信号に対する命令であるＤＣＳ信号で記録紙サイズをＡ４と宣言する。
【００１９】
このときに、送信機側で送信しようとしている原稿のサイズがＡ３であった場合、送信機側で画像データをＡ３からＡ４データに縮小して画像として送信する。
【００２０】
画像が送り終わると、回線を切る。
【００２１】
例えば、上記の課題を解決するためには、最大記録紙サイズを選択可能にすればよい。このような受信機側での最大記録紙サイズの設定に関する先行文献としては、特許文献１がある。
【００２２】
この特許文献１では、ファクシミリ装置の受信記録紙幅を選択する画面から“自動”，“Ａ４”，Ｂ４”，“Ａ３”のいずれかを選択し、自動以外が選ばれたときにはそのサイズをＤＩＳで送出し、自動が選ばれた時に、カセットに現在セットされている用紙サイズに従ってＤＩＳを送出することを述べている。
【先行技術文献】
【特許文献】
【００２３】
【特許文献１】特開２００２−１００５３号公報
【発明の概要】
【発明が解決しようとする課題】
【００２４】
上記したように、ファクス受信したデータは、必ずしもプリントするとは限らず、受信データをメモリなどの記憶部材に記憶しておき、後にこのデータをプリントしたり、設定された宛先に転送する機能がある。
【００２５】
例えば、受信機がＡ４プリントしか出来ない場合や、受信機がＡ３プリント可能にもかかわらず、セットされている記録紙がＡ４であった場合に、受信機の最大記録紙サイズをＡ４で宣言してしまうと、送信相手機がＡ３送信能力を持っていても、Ａ４サイズのデータに縮小され送られるため、受信機ではＡ３データを蓄積できなくなる。受信データを蓄積せずにプリントする場合であれば、これでよいが、先に述べたデータ蓄積後のプリントや、転送の場合に、Ａ３サイズの記録紙がセットできる機械や、Ａ３サイズデータの転送機能が可能な機械であっても、Ａ３サイズのデータがプリント、転送できなくなってしまう。
【００２６】
前述した先行技術でも、記録紙サイズを最大のＡ３に設定すれば、結果的に最大サイズでの受信は行われるが、先行技術では、他の記録紙サイズ（Ａ４、Ｂ４）も設定可能であり、Ａ４，Ｂ４の設定を行った場合には、縮小された画像を受信することになってしまう。
【００２７】
また、先行技術ではあくまで、ユーザが手動で設定するものであり、予め設定する手間もかかり、更に、設定ミスなどにより、縮小した画像を受信してしまうことがあり、結果として機器が扱える最大サイズでの画像受信が出来なかった。
【００２８】
更に先行技術では、すぐに受信画像をプリントする場合のように、装置が扱える最大画像サイズで宣言する必要のない場合でも、ユーザ設定によっては大きなサイズの画像を要求することになり、通信時間がかかりだけではなく、通信費も上がってしまうデメリットがあった。
【課題を解決するための手段】
【００２９】
画像伝送前に装置の能力を確認する通信プロトコルを用い、交換した能力でデータ通信を行い、更に、受信データをプリントするだけではなく装置に蓄積可能な画像通信装置であり、受信時にセットされている記録紙の最大サイズを最大記録紙サイズとして宣言するか、装置が扱える最大サイズを最大記録紙サイズとして宣言するかを予め設定する手段を設け、受信時に、この設定に従って能力宣言することを特徴とする画像通信装置。
【００３０】
画像伝送前に装置の能力を確認する通信プロトコルを用い、交換した能力でデータ通信を行い、更に、受信データをプリントするだけではなく装置に蓄積可能な画像通信装置であり、データ受信に先立って、蓄積受信が設定されているかどうかを判断する蓄積受信設定判断手段を有し、蓄積受信判断手段で蓄積受信が設定されていないと判断された場合には、装置がプリント可能な記録紙のサイズを最大記録紙のサイズとして、通信プロトコルで宣言し、蓄積受信判断手段で蓄積受信が設定されていると判断された場合には、装置が扱える最大のサイズを最大記録紙のサイズとして、通信プロトコルで宣言する。
【発明の効果】
【００３１】
第１の実施例では、装置が扱える最大サイズを宣言するため、送信画像を縮小することなく受信でき、受信画像の劣化を防ぎ、かつ受信データを転送やその後のプリントにそのまま使用できる。
【００３２】
また、カセットにセットされている記録紙の最大サイズで宣言する従来の方式も設定可能にしたため、ユーザの好みの受信が行える効果もある。
【００３３】
また、第２の実施例では、蓄積して再利用する場合にのみ、受信機が扱える最大記録紙サイズを宣言するようにしたため、すぐに受信画像をプリント行うなどで再利用が必要ない場合には、記録可能な記録紙サイズで宣言するため、送信機側で縮小された画像を送信できるため、通信時間が短縮でき、通信費を抑えられるメリットがある。
【図面の簡単な説明】
【００３４】
【図１】本発明の画像通信装置の概略構成図
【図２】能力宣言する記録紙サイズの設定画面フロー
【図３】本発明の第１の実施例の動作を示すフローチャート
【図４】本発明の第２の実施例の動作を示すフローチャート
【図５】本発明の通信シーケンスを示すシーケンス図
【図６】従来の通信シーケンスを示す図
【図７】転送機能の設定画面フロー
【図８】メモリ受信設定画面フロー
【発明を実施するための形態】
【００３５】
以下、本発明を実施するための最良の形態について図面を用いて説明する。
【００３６】
図１は、本発明を画像通信装置概略構成図である。
【００３７】
１０１は原稿を光学的に読み取って画像データに変換する画像入力部、１０２は画像データを記録紙などに記録する電子写真方式などの画像出力部、１０３は装置を制御するＣＰＵ、１０４は画像データや、ＣＰＵ１０３のプログラムコード／データを格納するメモリ、１０５は画像データなどのデータを格納するハードディスク、１０６は本装置をネットワークへ接続するためのネットワークインターフェイス、１０７はＬＣＤなどから構成される表示部、１０８はキーなどからなる操作部、１１０はＦＡＸ機能を制御するＦＡＸ制御部であり、これから電話回線１１１に接続される。
【００３８】
ファクス送信時には、送信データが画像入力部１０１で読み取られ、その画像データがメモリ１０４やハードディスク１０５に蓄積され、その後、電話回線１１１を通じて通信相手と接続し、蓄積した画像を順次送信していく。
【００３９】
ファクス受信時は、電話回線１１１からの着信をＦＡＸ制御部１１０で検出し、これが、ＣＰＵ１０３に伝えられ、ＣＰＵ１０３の制御下で、ＦＡＸの受信プロトコルが走り、画像はメモリ１０４やハードディスク１０５に一旦蓄積され、その後、受信データのプリントが指示されていれば、ＣＰＵ１０３の制御でメモリ１０４やハードディスク１０５に蓄積された画像データが、画像出力部１０２でプリントされる。
【００４０】
＜第１の実施例＞
次に、本発明の第１の実施例を図２を用いて説明する。
【００４１】
図２は、本発明で用いる記録紙サイズのユーザ選択の手段の例を表す設定画面のフローを示す。
【００４２】
これは図１の表示部１０７、操作部１０８を示していて、この例の場合は、表示部１０７がタッチセンサーになっており、表示されたボタン部分を押下することで設定を行う。
【００４３】
Ｓ２００で図示しないユーザモードキーを押下すると、ユーザモード設定画面Ｓ２０１に遷移する。この画面で送信・受信仕様設定ボタンを押下すると、送信・受信仕様設定画面Ｓ２０２に遷移する。この画面で受信仕様設定を押下する。すると、受信仕様設定画面Ｓ３０３に遷移し、この画面で記録紙サイズ設定ボタンを押下すると、記録紙サイズ設定画面Ｓ３０４に遷移する。
【００４４】
この画面では、能力宣言するときの最大記録紙のサイズを設定する。設定としては「セットされている記録紙の最大サイズ」、「装置が扱える最大サイズ」のどちらかを選択する。図の場合は、装置が扱える最大サイズが設定されている場合を示している。
【００４５】
各画面の右下には、「閉じる」ボタンが用意されており、これを押下することで、前画面へ遷移する。
【００４６】
次に、第１の実施例の動作をフローチャート（図３）を用いて説明する。
【００４７】
まず、Ｓｔｅｐ１で装置に受信指示があったかどうかを確認し、受信指示があった場合に、Ｓｔｅｐ２で回線を接続する。次にＳｔｅｐ３で、図２で示した記録紙サイズの設定を調べ、「セットされている記録紙の最大サイズ」が設定されていた場合には、Ｓｔｅｐ５でセットされている記録紙の内最大のサイズの用紙を最大記録紙のサイズとしてＤＩＳで宣言する。例えば、Ａ４しか記録紙としてセットされていない場合には、最大記録紙のサイズとしてＡ４を宣言する。
【００４８】
また、Ｓｔｅｐ３で「装置が扱える最大サイズ」がユーザ設定されていると判断された場合には、セットされている記録紙には関係なく、装置が扱える最大の記録紙のサイズを最大記録紙のサイズとしてＤＩＳ信号で宣言する。
【００４９】
例えば、記録紙としてＡ４しかセットされていない場合や、Ａ４記録紙かできない場合でも、装置としてＡ３サイズのデータのハンドリングが可能であれば、最大記録紙のサイズとしてはＡ３を宣言する。
【００５０】
次にＳｔｅｐ６でネゴした能力でのデータ受信が行われ、Ｓｔｅｐ７で受信終了が検知されたら回線は切断されデータ受信が終了する。
【００５１】
以上のように第１の実施例では、装置が扱える最大サイズを宣言するため、送信画像を縮小することなく受信でき、受信画像の劣化を防ぎ、かつ受信データを転送やその後のプリントにそのまま使用できる。
【００５２】
また、カセットにセットされている記録紙の最大サイズで宣言する従来の方式も設定可能にしたため、ユーザの好みの受信が行える効果もある。
【００５３】
＜第２の実施例＞
次に、本発明の第２の実施例を説明する。
【００５４】
図４は動作を第２の実施例の動作を示すフローチャートである。
【００５５】
まず、Ｓｔｅｐ１で装置に受信指示があったかどうかを確認し、受信指示があった場合に、Ｓｔｅｐ２で回線を接続する。次にＳｔｅｐ３で蓄積受信かどうかを検出する。この検出は、例えば、受信したデータの転送指示があるか、または、メモリ受信になっているかどうかで判断する。
【００５６】
ここで、転送機能とメモリ受信機能の設定例に関して、図７、図８を用いて説明する。
【００５７】
図７は転送設定の画面フローを示している。これは図１の表示部１０７、操作部１０８を示していて、この例の場合は、表示部１０７がタッチセンサーになっており、表示されたボタン部分を押下することで設定を行う。
【００５８】
ユーザは、Ｓ７００で図示していないユーザモードキーを押下し、ユーザモードに入る。この時Ｓ７０１の表示に遷移する。ここで、送信／受信仕様設定を押下すると、更に詳細の設定であるＳ７０２の画面に遷移する。Ｓ７０２では、更に送信仕様設定、受信仕様設定、転送仕様設定の３カテゴリがあるがここから転送仕様設定を選択すると、Ｓ７０３の転送仕様設定の画面になる。
【００５９】
Ｓ７０３では、転送条件を設定する。条件としては、「相手先電話番号」、「Ｆコード」、「パスワード」がある。これらはファクスの手順信号で送信元のファクスから送られてくる信号で、ここに設定した番号と送信元のファクスから送られてくる信号を比較し、一致した場合に、最終行に設定した宛先「転送先番号」に、受信後転送を行う。各画面の右下には「閉じる」ボタンがあり、このボタンの押下で前の画面に戻ることが出来る。
【００６０】
図７のＳ７０３の例では、相手先電話番号が０３−１１１１−２２２２で、Ｆコード、パスワードが送信されてこなかった場合に、受信したデータを、転送先０３−２２２２−３３３３へ転送することが指示されている。また、転送設定は１つだけではなく、複数設定できる場合もあるが、この操作に関しては割愛する。
【００６１】
次に、メモリ受信の設定例を図８を用いて述べる。この場合も、Ｓ８００で図示しないユーザモードキーを押下することから始まり、Ｓ７０１と同様にユーザモード設定画面Ｓ８０１に遷移する。この画面で今度は送信・受信仕様設定ボタンを押下すると、Ｓ７０２と同等の送信・受信仕様設定画面Ｓ８０２に遷移する。今度はこの画面で受信仕様設定を押下する。すると、受信仕様設定画面Ｓ８０３に遷移し、この画面でメモリ受信設定を押下すると、Ｓ８０４のメモリ受信設定画面に遷移する。この画面でメモリ受信をＯＮに設定することで、受信した画像は印刷せずにメモリに記憶されることになる。
【００６２】
メモリ受信設定には、このほかに、メモリ受信をＯＮまたはＯＦＦする曜日や時刻を設定できる場合もあるが、この設定に関する説明は割愛する。
【００６３】
ここで、図４のＳｔｅｐ３の説明に戻る。Ｓｔｅｐ３では、蓄積受信かどうかを検出しているが、これは説明したように、転送設定が設定されているか、又は、メモリ受信が設定されているかを判定し検出している。
【００６４】
Ｓｔｅｐ３で蓄積受信が設定されていないと判断した場合は、Ｓｔｅｐ５でセットされている記録紙の内最大のサイズの用紙を最大記録紙のサイズとしてＤＩＳで宣言する。例えば、Ａ４しか記録紙としてセットされていない場合には、最大記録紙のサイズとしてＡ４を宣言する。
【００６５】
また、Ｓｔｅｐ３で蓄積受信と判断された場合には、セットされている記録紙には関係なく、装置が扱える最大の記録紙のサイズを最大記録紙のサイズとしてＤＩＳ信号で宣言する。
【００６６】
例えば、記録紙としてＡ４しかセットされていない場合や、Ａ４記録紙かできない場合でも、装置としてＡ３サイズのデータのハンドリングが可能であれば、最大記録紙のサイズとしてはＡ３を宣言する。
【００６７】
次にＳｔｅｐ６でネゴした能力でのデータ受信が行われ、Ｓｔｅｐ７で受信終了が検知されたら回線は切断されデータ受信が終了する。図５は、図６に示した従来のシーケンス図に対する本発明でのシーケンス図である。
【００６８】
受信機は、発呼を受け回線がつながれると、蓄積受信かどうかを判断し、蓄積受信と判断された場合には、セットされている記録紙の最大サイズではなく、装置が扱える最大サイズ（図５の例の場合は、Ａ３）をＤＩＳ信号で最大記録紙のサイズとして宣言する。
【００６９】
これを受けた送信機では、Ａ３の画像を送信する場合に、受信機がＡ３受信の能力を持っているため、画像を縮小することなく、Ａ３サイズのまま送信する。受信機は、このＡ３サイズのデータを蓄積し、データ受信が終了すると、回線が切断される。
【００７０】
以上説明したように、本発明の第２の実施例によれば、蓄積して再利用する場合にのみ、受信機が扱える最大記録紙サイズを宣言するようにしたため、すぐに受信画像をプリント行うなどで再利用が必要ない場合には、記録可能な記録紙サイズで宣言するため、送信機側で縮小された画像を送信できるため、通信時間が短縮でき、通信費を抑えられるメリットがある。
【符号の説明】
【００７１】
１００  画像通信装置
【図１】
2013120953.tif 000003
【図２】
2013120953.tif 000004
【図３】
2013120953.tif 000005
【図４】
2013120953.tif 000006
【図５】
2013120953.tif 000007
【図６】
2013120953.tif 000008
【図７】
2013120953.tif 000009
【図８】
2013120953.tif 000010